(57)【要約】【課題】額縁の斜め正面から展示シートを鑑賞する場合、枠体の外周の側面が目立ち易く意匠性が損なわれることがある。【解決手段】透明板の裏面側の外周縁から所定幅の距離だけ内側に配置される枠体を備え、透明板と枠体とが接着されて、枠体の内側縁部と透明板の裏側とで囲繞された収納凹部が形成され、透明板には、枠体と対向する部分より外周側に第１の着色層が、枠体と対向する部分に第２の着色層が、枠体と対向する部分より内周側に第３の着色層が、夫々設けられており、第１の着色層と第２の着色層と第３の着色層とが連続して設けられている。【選択図】図１
2013154158.tif 000002
【特許請求の範囲】
【請求項１】
透明板と、この透明板の裏面側の外周縁から所定幅の距離だけ内側に配置される枠体とを備え、
前記透明板と前記枠体とが接着されて、前記枠体の内側縁部と前記透明板の裏側とで囲繞された、展示シートを収納する収納凹部が形成されている額縁において、
前記透明板には、前記枠体と対向する部分より外周側に第１の着色層が、前記枠体と対向する部分に第２の着色層が、前記枠体と対向する部分より内周側に第３の着色層が、夫々設けられており、
前記第１の着色層と前記第２の着色層と前記第３の着色層とが連続して設けられていることを特徴とする額縁。
【請求項２】
前記透明板における前記枠体と対向する部分の内周側に、前記透明板を表面から裏面に貫通する開口部が穿設されており、前記透明板の表面側から、前記収納凹部に収納された展示シートに接触可能に構成されていることを特徴とする請求項１に記載の額縁。
【請求項３】
前記透明板の表面の外周縁には、内側から外側に向かうほど前記透明板の板厚が薄くなる、傾斜面が設けられていることを特徴とする請求項１又は２に記載の額縁。
【発明の詳細な説明】
【技術分野】
【０００１】  本発明は、例えば、写真、絵画、書画などの展示シートを飾るための額縁に関する。
【背景技術】
【０００２】  この種の額縁として、透明板とこの透明板の裏面側の外周部に沿って配置されて透明板に接着される枠体とを備え、枠体の内側縁部と透明板の裏側とで囲繞された展示シート用の収納凹部を形成し、透明板の裏面側の外周部に着色層を設けて、着色層によって枠体及び枠体と透明板との接着部分が透明板の表側から隠れるようにしているものが知られている（例えば、特許文献１）。
【先行技術文献】
【特許文献】
【０００３】
【特許文献１】実用新案登録第３１１１２４５号公報
【発明の概要】
【発明が解決しようとする課題】
【０００４】  ところで、額縁は、壁などに掛けられたり、机上に立てられたりするものであるが、額縁に収納された展示シート鑑賞する時に、視点の中心を額縁の中心直上に置いて額縁の真正面から鑑賞するものであるとは限らず、視点の中心を額縁の中心直上からずれた位置に置いて額縁の斜め正面から鑑賞する場合がある。【０００５】  視点の中心を額縁の中心直上からずれた位置に置いて額縁の斜め正面から展示シートを鑑賞する場合、特許文献１の額縁の枠体は、透明板の外周に沿って配置されるものであるから、枠体の外周の側面が目立ち易く意匠性が損なわれることがあった。
また、枠体を透明板の外周に沿って配置すると、着色層を透明板の裏面の外周端縁にまで設ける必要があり、透明板の裏面に着色層を印刷等によって設ける着色工程において透明板の外周端縁を裏面からクランプすることができないという着色工程における制限があるものとなっていた。【０００６】本発明は、上記のような実情に鑑みてなされたもので、その目的とするところは、視点の中心を額縁の中心直上からずれた位置に置いて額縁の斜め正面から展示シートを鑑賞する場合であっても、枠体の外周の側面が目立ち易く意匠性が良好であり、着色工程における制限が少なく製造コストの低減が図られた額縁を提供することにある。
【課題を解決するための手段】
【０００７】  本発明による額縁は、透明板と、この透明板の裏面側の外周縁から所定幅の距離だけ内側に配置される枠体とを備え、前記透明板と前記枠体とが接着されて、前記枠体の内側縁部と前記透明板の裏側とで囲繞された、展示シートを収納する収納凹部が形成されている額縁において、前記透明板には、前記枠体と対向する部分より外周側に第１の着色層が、前記枠体と対向する部分に第２の着色層が、前記枠体と対向する部分より内周側に第３の着色層が、夫々設けられており、前記第１の着色層と前記第２の着色層と前記第３の着色層とが連続して設けられていることを特徴とする。【０００８】  これによれば、視点の中心を額縁の中心直上からずれた位置に置いて額縁の斜め正面から展示シートを鑑賞する場合であっても、第１の着色層の存在によって、枠体の外周側面が看者から視認され難いものとなり、枠体の外周の側面が目立ち難く良好な意匠性が得られるものとすることができる。【０００９】  また、透明板の裏面に着色層を印刷等によって設ける着色工程において透明板の外周端縁を裏面からクランプすることができ、着色工程における制限が少なく容易に製造できて製造コストの低減が図れる。【００１０】  要するに、本発明によれば、意匠性が良好で、しかも、容易に製造できて製造コストの低減が図った額縁とすることができる。【００１１】  本発明において、上記の構成に加えて、前記透明板における前記枠体と対向する部分の内周側に、前記透明板を表面から裏面に貫通する開口部が穿設されており、前記透明板の表面側から、前記収納凹部に収納された展示シートに接触可能に構成されていることが好ましい。【００１２】  これによれば、例えば、七宝や陶板による絵画のように表面に凹凸が形成された展示シートを収納した場合に、展示シートと看者の間に透明板を介さず、直接展示シートを鑑賞でき、展示シートに形成された凹凸による展示シートの質感の鑑賞が可能な額縁とすることができる。【００１３】  また、前記透明板の表面の外周縁には、内側から外側に向かうほど前記透明板の板厚が薄くなる、傾斜面が設けられていることが好ましい。【００１４】  これによれば、視点の中心を額縁の中心直上からずれた位置に置いて額縁の斜め正面から展示シートを鑑賞する場合に、枠体の外周側面が看者から多少視認されても、透明板の表面の外周縁に設けられた傾斜面が存在するによって、枠体の外周側面が看者から意識され難いものとなり、枠体の外周の側面がいっそう目立ち難くいっそう良好な意匠性が得られるものとなる。
【発明の効果】
【００１５】  上述のように、本発明によれば、意匠性が良好で、しかも、容易に製造できて製造コストの低減が図った額縁とすることができる。
【図面の簡単な説明】
【００１６】
【図１】第１実施形での額縁の正面図（表面図）。
【図２】同上の額縁の背面図（裏面図）。
【図３】同上の額縁の保持板、補助パッド、展示シート、装飾板を外して収納凹部を露出させた背面図（裏面図）。
【図４】図１における左右方向中心における縦断側面図。
【図５】本発明の第２実施形態での額縁の正面図（表面図）。
【図６】図５における左右方向中心における縦断側面図。
【発明を実施するための形態】
【００１７】  以下、図面に基づいて、本発明の一例である実施形態を説明する。
図１〜４に、本発明の第１の実施の形態での額縁１ａを示す。額縁１ａは、その内部に写真、絵画などの展示シート０２を収納展示するもので、透明板３ａと、枠体０４とを備える。
以下、説明の便宜上、図１〜３において、図を正面から見て左側を左側、右側を右側、左右方向に直交する方向を上下方向とする。図４において、図を見て左側を表側、右側を裏側とする。
【００１８】  透明板３ａはガラス板やアクリル板などの透明な板材で矩形に形成されている。透明板３ａの裏面の外周縁から所定幅の距離ｄｄ（本実施形態では５ｍｍ）だけ内側に枠体０４が配置されており、透明板３ａと枠体０４とが接着剤０９により接着されて、枠体０４の内側縁部と透明板３ａの裏側とで囲繞された収納凹部０６に展示シート０２を収納する。なお、接着剤０９は後述する第２の着色層７ｂと枠体０４の間に位置する。
【００１９】  透明板３ａには、枠体０４と対向する部分より外周側に着色幅ａａ（本実施形態では５ｍｍ）の第１の着色層７ａが、枠体０４と対向する部分に着色幅ｂｂ（本実施形態では３０ｍｍ）の第２の着色層７ｂが、枠体０４と対向する部分より内周側に着色幅ｃｃ（本実施形態では５ｍｍ）の第３の着色層７ｃが、夫々設けられており、第１の着色層７ａと第２の着色層７ｂと第３の着色層７ｃとは連続して設けられている。なお、第１の着色層７ａと第２の着色層７ｂと第３の着色層７ｃとは同色の緑色に着色されている。
【００２０】  枠体０４は、第１の着色層７ａと第２の着色層７ｂと第３の着色層７ｃと同一系統の緑色に着色されている。枠体０４は、左右一対の縦枠１０と、上下一対の横枠１１とで構成されている。左右の各縦枠１０は木材等（本実施形態では板厚１０ｍｍの木材）により平板状に形成されていて、その幅は第２の着色層７ｂの着色幅ｂｂ（本実施形態では３０ｍｍ）と同じ幅に構成されている。
【００２１】  したがって、縦枠１０、横枠１１のいずれも第２の着色層７ｂの裏側の領域内にあって、第２の着色層７ｂで隠されて透明板３ａの表側からは視認されないようになっている。また、縦枠１０、横枠１１のいずれの側面も、第１の着色層７ａまたは第３の着色層７ｃによって隠れることで、透明板３ａの表側からは直接は視認されにくいようになっている。
【００２２】  また、上述のように、透明板３ａの裏面の外周縁から所定幅の距離ｄｄ（本実施形態では５ｍｍ）だけ内側に枠体０４が配置されており、透明板３ａの外周縁から内側方向に引退して配置されているから、枠体０４は、透明板３ａの表側からは直接は視認されにくいようになっている。
【００２３】  上述のように、枠体０４を透明板３ａに接着すると、枠体０４の内側縁部（各縦枠１０及び各横枠１１の内側縁部）と透明板３ａの裏側（裏面）に囲繞された展示シート０２収納用の収納凹部０６が形成され、額縁１ａの裏側から収納凹部０６にシート状の展示シート０２が収納できるようになっている。
【００２４】  収納凹部０６には、透明板３ａと展示シート０２の間に、矩形環状の装飾枠１３が嵌入できるようになっており、看者が透明板３ａを介して展示シート０２を鑑賞するとき、装飾枠１３が展示シート０２の周囲を覆うことですっきりとした印象を与える。
【００２５】  なお、透明板３ａの表面の外周縁から内側１５ｍｍの幅の領域に、内側から外側に向かうほど透明板３ａの板厚が薄くなる、傾斜面１２が設けられている。
【００２６】  収納凹部０６には、収納凹部０６に収納した展示シート０２を裏側からサポートする補助パッド１４が嵌入できるようになっており、平面視において収納凹部０６と略同じ大きさの補助パッド１４を収納凹部０６に嵌入すれば展示シート０２を裏側からサポートすることができる。
【００２７】  また、収納凹部０６には、平面視において収納凹部０６と略同じ大きさの保持板１５が嵌入できるようになっており、装飾枠１３、展示シート０２、補助パッド１４、保持板１５を収納凹部０６に表側から順に挿入し、最後に挿入した保持板１５の裏側を枠体０４に複数（本実施形態では８個）備える回動式の止め具１６で収納凹部０６から抜け落ちないように支持すれば、展示シート０２が収納凹部０６内でがたつくことなく収納される。
【００２８】  以上、本発明の第１実施形態による額縁１ａによれば、縦枠１０、横枠１１のいずれも第２の着色層７ｂの裏側の領域内にあって、第２の着色層７ｂで隠されて透明板３ａの表側からは視認されないようになっている。また、縦枠１０、横枠１１のいずれの側面も、第１の着色層７ａまたは第３の着色層７ｃによって隠されて透明板３ａの表側からは視認されにくいようになっている。
【００２９】また、透明板３ａの裏面の外周縁から所定幅の距離ｄｄ（本実施形態では５ｍｍ）だけ内側に枠体０４が配置されているから、透明板３ａの裏面に、連続した第１の着色層７ａと第２の着色層７ｂと第３の着色層７ｃを形成する製造工程において、外周縁から所定幅の距離ｄｄ（本実施形態では５ｍｍ）の部分を、透明板３ａをクランプするためのクランプ部として利用できるから、製造が容易であり、製造コストの低減が図れる。
【００３０】  さらに、透明板３ａの外周に傾斜面１２を備えているから、枠体０４の外周側面が透明板３ａを通して看者から多少視認されても、透明板３ａの表面の外周縁に傾斜面１２が存在するによって、枠体０４の外周側面が看者から意識され難いものとなり、枠体０４の外周の側面がいっそう目立ち難くいっそう良好な意匠性が得られる。
【００３１】  つぎに、本発明の第２実施形態の額縁１ｂについて説明する。
図５、図６に示す第２実施形態での額縁１ｂは、第１実施形態の額縁１ａの透明板３ａに替えて透明板３ｂを用いて構成される。透明板３ｂは、枠体０４と対向する部分の内側に、透明板３ｂを表面から裏面に貫通する開口部１７（図５における格子状網掛け部分）が穿設されており、透明板３ｂの表面側から、収納凹部０６に収納された展示シート０２に接触可能に構成されているものである。
【００３２】  なお、第１実施形態における透明板３ａには開口部を備えていないのに対し、第２実施形態では透明板３ｂに開口部１７を備えている点において、第１実施形態の額縁１ａと第２実施形態の額縁１ｂは異なるが、第２実施形態の額縁１ｂのその他の構成は第１実施形態の額縁１ａと同様である。
【００３３】  この第２実施形態の額縁１ｂでは、例えば、七宝や陶板による絵画のように表面に凹凸が形成された展示シート０２を収納した場合に、展示シート０２と看者の間に透明板３ｂの構成部材を介さず、直接展示シート０２を鑑賞でき、展示シート０２の表面に形成された凹凸によって釀し出される展示シート０２の質感の鑑賞が可能な額縁となっている。
【００３４】〔別実施形態〕
以下、別実施形態を列記する。
（１）透明板３ａ、３ｂの材質はガラスに限定されず、透明板３ａ、３ｂをアクリルなどの透明の樹脂板により構成してもよい。
（２）透明板３ａ、３ｂは完全な無色である必要はなく、着色されたガラス板や着色された樹脂板により半透明に構成してもよく、看者が透明板３ａ、３ｂを介して装飾枠１３で縁取られた展示シート０２が鑑賞可能であれば、適宜変更可能である。
（３）枠体０４の材質は着色した木材に限定されず、アルミ等の金属、樹脂等適宜使用可能である。
（４）透明板３ａ、３ｂの外周縁に備える傾斜面１２の幅は１５ｍｍに限定されず、また、傾斜面１２を備えなくてもよい。
【符号の説明】
【００３５】１ａ    第１実施形態の額縁
１ｂ    第２実施形態の額縁
０２    展示シート
３ａ    透明板
３ｂ    透明板
０４    枠体
０６    収納凹部
７ａ    第１の着色層
７ｂ    第２の着色層
７ｃ    第３の着色層
０９    接着剤
１０    縦枠
１１    横枠
１２    傾斜面
１３    装飾枠
１４    補助パッド
１５    保持板
１６    止め具
１７    開口部
ａａ    第１の着色層の着色幅
ｂｂ    第２の着色層の着色幅
ｃｃ    第３の着色層の着色幅
ｄｄ    所定幅の距離
【図１】
2013154158.tif 000003
【図２】
2013154158.tif 000004
【図３】
2013154158.tif 000005
【図４】
2013154158.tif 000006
【図５】
2013154158.tif 000007
【図６】
2013154158.tif 000008